(57)【要約】      （修正有）【課題】高級感にあふれ、おしゃれな捺印マットを提供する。【解決手段】捺印マット４は、矩形板状の台座部材３０と、該台座部材３０の上面内部に固着されたマット部材６０とからなり、前記台座部材３０は、前記マット部材６０が固着されたマット部材台座部と、該マット部材台座部の外部の周縁台座部とからなる。前記マット部材台座部は、前記台座部材に凹設されて凹部を形成し、前記マット部材が、該凹部に嵌合固着されており、前記周縁台座部は、外側下方に向かって傾斜した傾斜面３２ｂを備えている。【選択図】図５
0003182215.tif 000002
【実用新案登録請求の範囲】
【請求項１】
台座部材と、該台座部材の上面内側に固着されたマット部材とからなり、
前記台座部材は、前記マット部材が固着されたマット部材台座部と、該マット部材台座部の外側の周縁台座部とからなることを特徴とする捺印マット。
【請求項２】
前記周縁台座部は、外側下方に向かって傾斜した傾斜面を備えている請求項１に記載の捺印マット。
【請求項３】
前記マット部材台座部は、前記台座部材に凹設されて凹部を形成し、前記マット部材が、該凹部に嵌合固着されている請求項２に記載の捺印マット。
【請求項４】
前記マット部材の上面は、前記周縁台座部の上面より突出している請求項１乃至３のうちのいずれか１項に記載の捺印マット。
【請求項５】
前記台座部材は、木製又は金属製である請求項１乃至４のうちのいずれか１項に記載の捺印マット。
【請求項６】
前記マット部材は、軟質材又は半硬質材からなる請求項１乃至５のうちのいずれか１項に記載の捺印マット。
【請求項７】
前記マット部材の上面及び側面は、軟質の被覆部材で被覆されている請求項１乃至６のうちのいずれか１項に記載の捺印マット。
【請求項８】
矩形板状の木製又は金属製の台座部材と、該台座部材の上面内部に固着された軟質材又は半硬質材のマット部材とからなり、
前記台座部材は、前記マット部材が固着されたマット部材台座部と、該マット部材台座部の外側の周縁台座部とからなり、
前記マット部材台座部は、前記台座部材に凹設されて凹部を形成し、前記マット部材が、該凹部に嵌合固着されており、
前記周縁台座部は、外側下方に向かって傾斜した傾斜面を備え、
前記マット部材の上面及び側面は、軟質の被覆部材で被覆されていることを特徴とする捺印マット。
【考案の詳細な説明】
【技術分野】
【０００１】
本考案は、高級感にあふれ、おしゃれな捺印マットに関する。
【背景技術】
【０００２】
銀行業務、保険業務などにおいて契約書等を作成する場合において、担当者が顧客に対して書面に署名を依頼する場合には、高級感のある筆記具を差し出すのが通常である。高級感のある筆記具を用いることで、契約という重要な行為を格調高く、品格のあるものとすることができる。
また、書面に捺印を依頼するに際しては、鮮明な印影を得るために、書面の下に軟質の捺印マットを敷くことが行われている。
しかしながら、捺印マットは、一般的にごくありふれた簡易なものが用いられており、高級感とはほど遠いものである。
ここで、捺印マットについては、より鮮明な印影を得るための技術が開示されている（例えば、特許文献１参照。）。
【先行技術文献】
【特許文献】
【０００３】
【特許文献１】特開平１０−２３５９７７号公報
【考案の概要】
【考案が解決しようとする課題】
【０００４】
しかし、特許文献１に開示された捺印マットは、機能的には優れているものの捺印マット全体としては、一般的な形態に留まっている。
わが国では、捺印は契約に際して、署名と同等以上に法的効力を有する重要なものである。署名時において使用する筆記具に高級感を持たせておいて、捺印時において使用する捺印マットがおざなりでは、配慮が欠けている感が否めない。
本願発明は、前記の問題を解決するものであり、高級感にあふれ、おしゃれな捺印マットを提供することを目的とする。
【課題を解決するための手段】
【０００５】
本考案は、以下の通りである。
請求項１に係る捺印マットは、台座部材と、該台座部材の上面内側に固着されたマット部材とからなり、前記台座部材は、前記マット部材が固着されたマット部材台座部と、該マット部材台座部の外側の周縁台座部とからなることを特徴とする。
請求項２に係る捺印マットは、請求項１に係る捺印マットにおいて、前記周縁台座部が、外側下方に向かって傾斜した傾斜面を備えていることである。
請求項３に係る捺印マットは、請求項２に係る捺印マットにおいて、前記マット部材台座部が、前記台座部材に凹設されて凹部を形成し、前記マット部材が、該凹部に嵌合固着されていることである。
【０００６】
請求項４に係る捺印マットは、請求項１乃至３のうちのいずれか１項に記載の捺印マットにおいて、前記マット部材の上面は、前記周縁台座部の上面より突出していることである。
請求項５に係る捺印マットは、請求項１乃至４のうちのいずれか１項に記載の捺印マットにおいて、前記台座部材が、木製又は金属製であることである。
請求項６に係る捺印マットは、請求項１乃至５のうちのいずれか１項に記載の捺印マットにおいて、前記マット部材が、軟質材又は半硬質材からなることである。
【０００７】
請求項７に係る捺印マットは、請求項１乃至６のうちのいずれか１項に記載の捺印マットにおいて、前記マット部材の上面及び側面が、軟質の被覆部材で被覆されていることである。
請求項８に係る捺印マットは、矩形板状の木製又は金属製の台座部材と、該台座部材の上面内部に固着された軟質材又は半硬質材のマット部材とからなり、前記台座部材は、前記マット部材が固着されたマット部材台座部と、該マット部材台座部の外側の周縁台座部とからなり、前記マット部材台座部は、前記台座部材に凹設されて凹部を形成し、前記マット部材が、該凹部に嵌合固着されており、前記周縁台座部は、外側下方に向かって傾斜した傾斜面を備え、前記マット部材の上面及び側面は、軟質の被覆部材で被覆されていることを特徴とする。
【考案の効果】
【０００８】
請求項1に係る捺印マットは、台座部材と、台座部材の上面内側に固着されたマット部材とからなり、台座部材は、マット部材が固着されたマット部材台座部と、そのマット部材台座部の外側の周縁台座部とからなるため、高級感にあふれ、おしゃれな捺印マットを構成することができる。
請求項２に係る捺印マットは、請求項１に係る捺印マットの効果に加え、更に、周縁台座部が、外側下方に向かって傾斜した傾斜面を備えているため、周縁台座部の上部の角部が鈍角に形成されることにより書類が傷つきにくくなる。また、傾斜面が美観を備えるため、一層高級感に優れたものとなる。
【０００９】
請求項３に係る捺印マットは、請求項２に係る捺印マットの効果に加え、更に、マット部材台座部が、台座部材に凹設されて凹部を形成し、マット部材が、凹部に嵌合固着されているため、台座部材にマット部材が確実に固定される。
請求項４に係る捺印マットは、請求項１乃至３のうちのいずれか１項に記載の捺印マットの効果に加え、マット部材の上面が、マット部材台座部の上面より突出しているため、捺印に際して、書類の上から触れることで、マット部材と周縁台座部との境界が分かりやすく、捺印面が周縁台座部上にかかるのを防ぐことができる。また、捺印マットが一段と立体的な美観を呈することができる。
【００１０】
請求項５に係る捺印マットは、請求項１乃至４のうちのいずれか１項に記載の捺印マットの効果に加え、台座部材が、木製又は金属製であるため、加工性に優れ、且つ、意匠性を付与しやすい。
請求項６に係る捺印マットは、請求項１乃至５のうちのいずれか１項に記載の捺印マットの効果に加え、マット部材が、軟質材又は半硬質材からなるため、鮮明に捺印しやすい。
請求項７に係る捺印マットは、請求項1乃至６のうちのいずれか１項に記載の捺印マットの効果に加え、更に、マット部材の上面及び側面が、軟質の被覆部材で被覆されているため、マット部材を効果的に保護すると共に、意匠性を高めることができる。
請求項８に係る捺印マットは、請求項１乃至７のすべての要件を備えているため、これらすべての効果を有している。
【図面の簡単な説明】
【００１１】
【図１】本考案に係る捺印マットの実施形態の一例を示す斜視図である。
【図２】図１のＸ−Ｘ断面図である。
【図３】本考案に係る捺印マットの実施形態に係り、周縁台座部が傾斜面を備える例を示す断面図である。
【図４】本考案に係る捺印マットの実施形態に係り、マット部材が、凹部に嵌合固着されている例を示す断面図である。
【図５】本考案に係る捺印マットの実施形態に係り、マット部材が被覆部材により被覆されている例を示す斜視図である。
【図６】図５のＹ−Ｙ断面図である。
【図７】図５の斜視図に係る捺印マットの分解図である。
【図８】図５の斜視図に係る捺印マットの（ａ）平面図、（ｂ）側面図である。
【図９】本考案に捺印マットの実施形態に係り、台座部材が円板状である例を示す斜視図である。
【図１０】図９のＺ−Ｚ断面図である。
【考案を実施するための形態】
【００１２】
以下本考案を図１〜１０を参照しながら詳細に説明する。なお、本考案は、かかる図に記載された具体例に示すものに限られず、目的、用途に応じて種々変更したものとすることができる。
【００１３】
以下の実施形態に係る捺印マット１〜５は、本考案を具体化したものである。
捺印マット１は、図１及び図２に示すように、台座部材１０と、台座部材１０の上面内側１１ａに固着されたマット部材５０とからなり、台座部材１０は、マット部材５０が固着されたマット部材台座部１１と、マット部材台座部の外側の周縁台座部１２とからなる。
【００１４】
台座部材はマット部材を上面内側に固着するための部材である。台座部材の形状は特に限定はなく、図１に示す台座部材１０のように矩形板状であってもよいし、図９に示すように円形板状であってもよい。
材質も特に限定はなく、例えば、木製、金属製とすることができる。これらの材質であれば、特に加工性に優れ、且つ、意匠性を付与しやすい。木製としては、例えば、胡桃、ブナなどが例示される。金属製としては、アルミニウム、ステンレスなどが例示される。
【００１５】
台座部材１０は、図２に示すように、マット部材５０が固着されたマット部材台座部１１と、マット部材台座部１１の外側の周縁台座部１２とからなる。このマット部材台座部１１は、マット部材５０が固着された上面内側１１ａ面からの垂直方向の下部全体を指す。また、周縁台座部１２は、マット部材５０が固着されていない上面外側の周縁面１２ａからの垂直方向の下部全体を指す。
【００１６】
図３に示す捺印マット２のように、周縁台座部２２が、外側下方に向かって傾斜した傾斜面２２ｂを備えていることが好ましい。こうすることで、周縁面２２ａと傾斜面２２ｂとのなす角が鈍角に形成される。このため、書類の上からこの角部を誤って押圧しても書類が傷つきにくくなる。
また、傾斜面が美観を備えるため、一層高級感に優れたものとなる。傾斜面２２ｂの下端は更に垂直面２２ｃを有していることが好ましい。こうすることで、台座部下面と傾斜面２２ｂとが鋭角で交差しないため、傾斜面の下端の強度を大きくすると共に、安全性に優れたものとなる。
【００１７】
更に、図４に示す捺印マット３のように、マット部材台座部３１が、台座部材３０に凹設されて凹部を形成し、マット部材５０が、凹部に嵌合固着されていることが好ましい。すなわち、図４に示すように、マット部材台座部３１の凹部の底面３２ｅに、マット部材５０の底面５０ａが当接すると共に、凹部の側面３２ｄにマット部材５０の側面５０ｂが当接して嵌合固着される。こうすることで、台座部材３０にマット部材５０が確実に固定される。傾斜面３２ｂ、垂直面３２ｃの作用効果については、捺印マット２の傾斜面２２ｂ、垂直面２２ｃと同様であるため、その説明を省略する。
【００１８】
なお、マット部材の上面５０ａは、周縁台座部の上面３２ａと面一であってもよいが、図４に示すように、マット部材の上面５０ａが、周縁台座部の上面３２ａより突出していることが好ましい。こうすることで、捺印に際して、書類の上から触れることで、マット部材５０と周縁台座部３２との境界が分かりやすく、捺印面が周縁台座部の上面３２ａにかかるのを防ぐことができる。また、捺印マットが一段と立体的な美観を呈することができる。
【００１９】
マット部材は、書類を載置して、捺印が鮮明にできれば特にその材質は限定されず、軟質材又は半硬質材とすることができる。軟質材としては、ゴム、スポンジ、発泡樹脂、半硬質材としてはコルク、半硬質合成樹脂などが例示される。これらのうち、コルクであれば環境にも配慮したものとなる。
マット部材の形状は、台座部材の上面内側に固着され、周縁台座部が外観されれば、特に限定はないが、図１、図５に示すように、台座部材が矩形板状であれば、それに沿って、マット部材も矩形板状とすることが好ましい。また、図１、図５に示すように、隅丸形状とすればソフトな美観を呈することができる。
【００２０】
マット部材は前記の材質単独でも差支えないが、図５及び図６に示す捺印マット４のように、マット部材５０の上面５０ａ及び側面５０ｂが、軟質の被覆部材５５で被覆された被覆マット部材６０を構成している場合には、マット部材５０を効果的に保護すると共に、更に高級感を高めることができる。被覆部材としては、軟質樹脂、半硬質樹脂などが挙げられるが、皮革であれば特に高級感を高めることができる。特に、天然皮革であれば、更に高級感を醸し出すことができる。
【００２１】
（作製例）
図５に示す捺印マット４の作製例について、以下、具体的に説明する。
（１）台座部材３０
図７に示す台座部材３０は、図８（ａ）に示すように、横（Ａ）１１５ｍｍ、縦（Ｃ）９０ｍｍ、高さ（Ｆ）６ｍｍの胡桃の板材を用意して、上面内部に横（Ｂ）９９ｍｍ、縦（Ｄ）７４ｍｍの隅丸矩形状の凹部を形成した。凹部の深さ（Ｅ）は２ｍｍとした。そして、垂直面（Ｇ）が２．５ｍｍとなるようにして傾斜面を形成した。このようにして、図７に示す台座部材３０を作製した。
【００２２】
（２）被覆マット部材６０
図７に示すようにコルクからなる板材から、台座部材３０の凹部の側面３２ｄに嵌合される形状となるように加工してマット部材５０を形成した。マット部材５０の厚さは２ｍｍとした。そして、図６に示すように、厚さ０．５ｍｍの天然皮革５５を上面５５ａ、側面５０ｂの全体を覆うように接着して、被覆マット部材６０を作製した。
【００２３】
（３）捺印マット４
図７に示すように、被覆マット部材６０を台座部材３０の凹部の底面３２ｅと側面３２ｄに当接するように、嵌合接着して固定した。こうして、図５に示す捺印マット４が完成した。
なお、台座部材３０は、予め塗装して、例えばブラウンカラー、ホワイトカラーとすることにより、一層高級感に溢れたものとすることができる。
【産業上の利用可能性】
【００２４】
本考案は、捺印マットの技術分野において好適に利用される。
【符号の説明】
【００２５】
１、２、３、４、５・・・・・捺印マット
１０、２０、３０、４０・・・台座部材
１１、２１、３１、４１・・・マット部材台座部
５０、７０・・・・・・・・・マット部材
５０ａ・・・・・・・・・・・マット部材の上面
１２、２２、３２、４２・・・周縁台座部
１２ａ、２２ａ・・・・・・・周縁台座部の上面
２２ｂ、３２ｂ、４３ｂ・・・傾斜面
５５・・・・・・・・・・・・被覆部材
【図１】
0003182215.tif 000003
【図２】
0003182215.tif 000004
【図３】
0003182215.tif 000005
【図４】
0003182215.tif 000006
【図５】
0003182215.tif 000007
【図６】
0003182215.tif 000008
【図７】
0003182215.tif 000009
【図８】
0003182215.tif 000010
【図９】
0003182215.tif 000011
【図１０】
0003182215.tif 000012